(57)【要約】【課題】液体洗剤を、その温度の高低にかかわらず、所定量を安定して洗濯機の洗濯槽へ供給する洗剤供給装置を提案する。【解決手段】フロート10が計量容器５に内有され、フロート10によるエアーポンプ接続孔３の未閉鎖状態では、エアーポンプＰａによる吸出しにて内部空間Ｃを負圧とし、液体洗剤を吸入するが、フロート10がエアーポンプ接続孔３を閉鎖状態とすれば、上記エアーポンプＰａによって、逆に加圧して、洗濯機の洗濯槽へ液体洗剤を吐出する。【選択図】図２
2020110285.tif 000002
【特許請求の範囲】
【請求項１】
洗剤吸入孔（１）と洗剤吐出孔（２）とエアーポンプ接続孔（３）とを有する密封状計量容器（５）の内部空間（Ｃ）には、フロート（10）が昇降可能に内有され、
上記フロート（10）が、洗剤（Ｚ）の上記内部空間（Ｃ）への流入に伴って上昇して、上記エアーポンプ接続孔（３）を閉鎖可能な位置に、該エアーポンプ接続孔（３）を配設し、
上記エアーポンプ接続孔（３）は、エアーポンプ連通流路（Ｒ）を介してエアーポンプ（Ｐａ）に接続され、
しかも、上記エアーポンプ連通流路（Ｒ）を切換えて、上記エアーポンプ接続孔（３）に対して、エアー吸出（Ａ１）とエアー供給（Ａ２）に切換える吸出し供給切換手段（Ｙ）を、具備し、
上記フロート（10）による上記エアーポンプ接続孔（３）の未閉鎖状態では、上記エアー吸出しによって上記内部空間（Ｃ）を負圧として、上記洗剤吸入孔（１）から洗剤を吸入し、
上記フロート（10）の上昇によって上記エアーポンプ接続孔（３）が閉じた閉鎖状態では、上記エアーポンプ連通流路（Ｒ）の一部が負圧となり、所定負圧値にて上記吸出し供給切換手段（Ｙ）によって上記エアー供給（Ａ２）に切換えて、上記計量容器（５）の内部空間（Ｃ）に正圧（Ｐ）を発生させ、上記洗剤吐出孔（２）から洗剤（Ｚ）を吐出して供給するよう構成したことを特徴とする洗剤供給装置。
【請求項２】
上記洗剤吸入孔（１）の近傍と洗剤吐出孔（２）の近傍には、逆止弁（12）（14）としてダックビル弁（Ｄ）が配設されている請求項１記載の洗剤供給装置。
【請求項３】
エアーポンプ（Ｐａ）は単数個であって、上記内部空間（Ｃ）からのエアー吸出（Ａ１）と、上記内部空間（Ｃ）へのエアー供給（Ａ２）を、上記エアーポンプ（Ｐａ）の吸入・吐出にて、行う請求項１記載の洗剤供給装置。
【請求項４】
エアーポンプ（Ｐａ）は、吸入専用ポンプ（Ｐ10）と、吐出専用ポンプ（Ｐ20）の２個をもって、構成された請求項１記載の洗剤供給装置。
【発明の詳細な説明】
【技術分野】
【０００１】
本発明は、洗剤供給装置に関する。具体的には、洗濯機の洗濯槽に液体洗剤を所定量（規定量）供給する洗剤供給装置に関する。
【背景技術】
【０００２】
従来、洗濯機の洗濯槽に、液体洗剤を供給する装置は、液体ポンプを備え、この液体ポンプの稼働時間を長短制御することで、液体洗剤の投入量を規制していた。
しかしながら、液体洗剤の粘度は、夏冬等の温度によって大きく変化し、冬季等の低温では供給量が過少となり、夏季等の高温では、逆に、過多となるという問題があった。
さらに、長期使用によってポンプ性能が変化すると、供給量が変わるという問題もあった。かつ、液体ポンプ内部で液体洗剤が固化して、ポンプが故障する事故も発生した。
そこで、洗剤貯蔵タンク内に、空気ポンプからエアーを圧送し、タンク内に圧力を加えることで、タンク内の洗剤を洗濯槽に投入（供給）すると共に、空気ポンプの稼働時間を制御して、一定の供給（投入）量とする発明も提案されている（特許文献１参照）。
【先行技術文献】
【特許文献】
【０００３】
【特許文献１】特開２００１−９１９０号公報
【発明の概要】
【発明が解決しようとする課題】
【０００４】
しかし、特許文献１に記載の発明では、上記洗剤貯蔵タンク内の液体洗剤量の多少により、加圧（空気圧）で押出される洗剤量（即ち、吐出流量）が変化する。これによって、一定の稼働時間だけ作動する上記空気ポンプにて加圧しているにかかわらず、一定量を供給することが困難である、という欠点があった。
また、特許文献１の従来の発明では、インバータ回路、パワースイッチング手段、制御手段等の高度かつ複雑な電子制御を必要とする欠点があり、故障発生の虞れもある。
【課題を解決するための手段】
【０００５】
そこで、本発明に係る洗剤供給装置は、洗剤吸入孔と洗剤吐出孔とエアーポンプ接続孔とを有する密封状計量容器の内部空間には、フロートが昇降可能に内有され、上記フロートが、洗剤の上記内部空間への流入に伴って上昇して、上記エアーポンプ接続孔を閉鎖可能な位置に、該エアーポンプ接続孔を配設し、上記エアーポンプ接続孔は、エアーポンプ連通流路を介してエアーポンプに接続され、しかも、上記エアーポンプ連通流路を切換えて、上記エアーポンプ接続孔に対して、エアー吸出とエアー供給に切換える吸出し供給切換手段を、具備し、上記フロートによる上記エアーポンプ接続孔の未閉鎖状態では、上記エアー吸出しによって上記内部空間を負圧として、上記洗剤吸入孔から洗剤を吸入し、上記フロートの上昇によって上記エアーポンプ接続孔が閉じた閉鎖状態では、上記エアーポンプ連通流路の一部が負圧となり、所定負圧値にて上記吸出し供給切換手段によって上記エアー供給に切換えて、上記計量容器の内部空間に正圧を発生させ、上記洗剤吐出孔から洗剤を吐出して供給するよう構成した。
【０００６】
また、上記洗剤吸入孔の近傍と洗剤吐出孔の近傍には、逆止弁としてダックビル弁が配設されている。
また、エアーポンプは単数個であって、上記内部空間からのエアー吸出と、上記内部空間へのエアー供給を、上記エアーポンプの吸入・吐出にて、行う。
また、エアーポンプは、吸入専用ポンプと、吐出専用ポンプの２個をもって、構成される。
【発明の効果】
【０００７】
本発明によれば、液体洗剤の粘度が季節等で変化しても、安定して高い精度の定量供給ができる。しかも、複雑な電子制御等の制御手段を省略可能となる。また、ポンプ内に液体洗剤が入ることがなく、ポンプ詰まり等の故障が発生しないで、長寿命な装置となる。さらに、ポンプの性能のバラツキに影響を受けずに、安定した定量供給を行い得る。
【図面の簡単な説明】
【０００８】
【図１】本発明の実施の一形態を示し計量容器内に洗剤が吸入される吸入状態を示す回路図である。
【図２】フロートの上昇によってポンプ接続孔が閉じた閉鎖状態を示す回路図である。
【図３】計量容器の内部空間を正圧として洗剤を吐出孔から吐出して洗濯槽へ供給している吐出状態を示す回路図である。
【図４】他の実施形態を示す回路説明図である。
【図５】さらに他の実施形態を示す回路説明図である。
【図６】フロートが下方位置にある状態を示す計量容器とその近傍要部を示す断面図である。
【図７】要部を示す拡大図であって、（Ａ）は図６の要部拡大図、（Ｂ）は（Ａ）のＢ−Ｂ断面拡大図である。
【図８】フロートが上方位置にある状態を示す計量容器とその近傍要部を示す断面図である。
【図９】要部を示す拡大図であって、（Ａ）は図８の要部拡大図、（Ｂ）は（Ａ）の要部拡大図、（Ｃ）は変形例を示した要部拡大図である。
【図１０】別の実施形態を示す回路説明図である。
【図１１】図10に示した回路に用いられる少容量用計量容器と大容量用計量容器を示す断面図である。
【図１２】本発明のさらに別の実施形態を示す回路説明図である。
【図１３】図12に示した回路に用いられる２種のフロートを内有した計量容器を示す断面図である。
【図１４】ダックビル弁の一例を具体的に示し、（Ａ）は断面正面図、（Ｂ）は半截側面図、（Ｃ）は底面図である。
【発明を実施するための形態】
【０００９】
本発明に係る洗剤供給装置に使用される「洗剤」の定義から説明すると、「洗剤」とは全て「液体洗剤」を言う。しかも「液体洗剤」には、「洗濯用柔軟剤，洗濯用撥水加工剤，洗濯用防ダニ・防カビ加工剤，洗濯用抗菌・消臭加工剤，洗濯用光触媒，ＵＶカット加工剤，洗濯用帯電防止剤，洗濯用風合改良剤，洗濯用漂白剤」等の液状のものも含まれる。
【００１０】
以下、図示の実施の形態に基づき本発明を詳説する。
図１〜図３に於て、５は密封状計量容器であって、洗剤吸入孔１と、洗剤吐出孔２とエアーポンプ接続孔３を備える。洗剤吸入孔１とエアーポンプ接続孔３は計量容器５の天井壁部６に配設され、吐出孔２は底壁部７に配設されている。計量容器５が前記密封状とは、このような孔１，２，３以外が密封されていることを言う。
【００１１】
この密封状の内部空間Ｃには、フロート10が昇降可能に内有されている。図１〜図３では、このフロート10は簡略化して図示している。望ましいフロート10の形状等は後述する（図７，図９等参照）。なお、フロート10はガイド部材８にて鉛直姿勢を保ちつつ、昇降案内される。
【００１２】
９は、予め洗剤を注入して保持する洗剤収納容器（タンク）であり、吸入流路11を介して計量容器５の吸入孔１に連通連結されている。かつ、吸入孔１の近傍には、逆止弁12が設けられ、洗剤収納容器９から計量容器５へのみ（一方通行で）洗剤が流れる。
そして、計量容器５のエアーポンプ接続孔３は、エアーポンプ連通流路Ｒを介して、エアーポンプＰａに接続されている。
【００１３】
また、図１に示すように、エアーポンプＰａの作動によって計量容器５内が負圧となって、洗剤収納容器９内の洗剤Ｚが、吸入流路11を介して計量容器５内へ流入し、フロート10が図１から図２のように上昇して、エアーポンプ接続孔３を閉鎖する。
【００１４】
言い換えると、エアーポンプ接続孔３は、フロート10が（上述のように）上昇して、エアーポンプ接続孔３を閉鎖可能な位置に配設される。
つまり、鉛直姿勢のフロート10の軸心上に、エアーポンプ接続孔３が配設されている。ガイド部材８は、フロート10が上昇していって、（図１から図２のように）エアーポンプ接続孔３を閉鎖するようにガイド（案内）する機能を発揮すると言うことができる。
【００１５】
さらに、エアーポンプ連通流路Ｒを切換えることによって、エアーポンプ接続孔３に対して、エアー吸出Ａ１（図１の矢印参照）と、エアー供給Ａ２（図３の矢印参照）とに、切換える吸出し供給切換手段Ｙを備えている。
【００１６】
さらに、図１〜図３に於て、具体的に説明すれば、15は２位置切換弁であり、この切換弁15の一ポートとポンプ接続孔３とは、吸入・吐出共通の第１配管31にて接続される。また、ポンプＰａの吸入口40と、切換弁15の他ポートとは、吸入用第２配管32にて接続される。また、ポンプＰａの吐出口41と、切換弁15の別ポートとは、吐出用第３配管33にて接続される。
図１〜図３に於て、前記エアーポンプ連通流路Ｒは、第１配管31と第２配管32と第３配管33等から構成されている。
【００１７】
次に、吸出し供給切換手段Ｙについて説明する。
Ｍは、エアーポンプＰａを駆動する電動モータであって、この電動モータＭの消費電流値を検出して所定値以上となれば制御信号ｂを出力する簡易な制御器17を付設する。即ち、エアーポンプＰａが、吸込圧力によって消費電流値が変化するという特性を有するので、その特性を利用している。
具体的には、図１から図２のように変化して、エアーポンプ接続孔３が閉鎖されると、エアーポンプＰａの吸入口40側の圧力は負圧となり、その絶対値が増加し、エアーポンプＰａの電動モータＭの消費電流が（増加して）所定値に達する。その消費電流が所定値に達したことを電流検出器（制御器）17にて検知し、電気信号ｂを切換弁15へ、タイマー制御された所定時間にわたって、送信する、簡易な制御とできる。  
【００１８】
図１では、ポンプＰａの吸引圧力は、その絶対値が小さな負圧である。点線で示すように、制御器（電流検出器）17と切換弁15（のソレノイド）との接続路は、信号が送信されていない。
【００１９】
計量容器５内に吸入流路11と吸入孔１を介して洗剤Ｚが流入してくると、フロート10がしだいに上昇していって、図２に示すように、エアーポンプ接続孔３を閉じて閉鎖状態とする。この閉鎖状態となると、（切換弁15は図１のままの状態下で）、急激にポンプＰａ
の吸込圧力が負圧となり、しかも、その絶対値が急増するので、電流検出器（制御器）17が、図２に矢印ａにて示すように消費電流値の変化を確実・簡単に検知できる。直ちに、電流検出器（制御器）17から制御信号（電気信号）ｂがソレノイド切換弁15に送信され、切換弁15は、（図１から図２の如く）切換えられて、図３に示したエアー供給Ａ２が行われる。
ところで、図３に示すように、計量容器５内の洗剤Ｚが、矢印Ｅのように吐出して、全量を吐出させるため、タイマー制御にて、上記電気信号ｂの送信時間を、僅かに長目に設定しておくのが良い。
【００２０】
このように、図１〜図３の実施の形態に於て、吸出し供給切換手段Ｙは、切換弁15と簡易な制御器（電流検出器）17等から構成されている。
図１〜図３に於て、（一部重複するが）追加説明すると、フロート10によるエアーポンプ接続孔３の未閉鎖状態（図１参照）では、（矢印Ａ１で示す）エアー吸出しによって、計量容器５の内部空間Ｃを負圧として、洗剤収納容器９内の洗剤Ｚを吸入流路11と吸入孔１から吸入してゆく。
【００２１】
内部空間Ｃ内の洗剤の量が増えると、フロート10はしだいに上昇してゆき、ついにエアーポンプ接続孔３が閉じた閉鎖状態となる（図２参照）。
つまり、一定量の洗剤Ｚが計量容器５内に収容された計量状態となる。
このようなエアーポンプ接続孔３が閉鎖状態となることで、エアーポンプ連通流路Ｒの吸入用第２配管32が負圧となって、エアーポンプＰａの駆動用電気モータＭの電流値が急増し、電流検出器17から成る簡易な制御器によって、切換弁15へ電気信号ｂを送信し、切換弁15を図１から図２のように、切換える。このように、エアーポンプＰａの駆動用電気モータＭの消費電流値の変化を検出するという簡易な構成の吸出し供給切換手段Ｙによって、図２から図３の状態に、自動的に切換わる。即ち、図３に示した（矢印Ａ２の）エアー供給の状態に切換わる。
【００２２】
このようなエアー供給Ａ２の状態で、計量容器５の内部空間Ｃに正圧Ｐを発生させ、内部空間Ｃの洗剤Ｚの洗面に上記正圧Ｐが作用して、洗剤吐出孔２から所定量（規定量）の洗剤Ｚを矢印Ｅのように吐出して、図外の洗濯槽へ供給する。なお、13は、逆止弁14を有する供給路（投入路）である。
【００２３】
図２から図３に切換わった瞬間から、計量容器５内の洗剤Ｚが全量排出するために、制御器17によるエアーポンプ作動時間を、僅かに長い目に、タイマー設定しておくのが望ましい。
【００２４】
ところで、洗剤吸入孔１の近傍と、洗剤吐出孔２の近傍には、（上述したように、）逆止弁12，14が配設されている。つまり、各孔１，２の内部に配設し、又は、各孔１，２の近傍位置での流路11，13に配設する。しかも、この逆止弁12，14は、図14及び（後述する）図４〜図13に示すダックビル弁Ｄであるのが望ましい。上述の実施形態では、エアーポンプＰａは単数個であり、図１に示した、内部空間Ｃからのエアー吸出Ａ１と、図３に示した、内部空間Ｃへのエアー供給Ａ２を、単数個のエアーポンプＰａの吸入・吐出にて行う。即ち、単数個のエアーポンプＰａを用いて、その吸入口40の吸入と吐出口41からの吐出を、（前述のような）第１・第２・第３配管31，32，33、及び、切換弁15によって、行うことができる。
【００２５】
次に、図４に示した他の実施形態は、計量容器５の形状、フロート10とガイド部材８等を図１〜図３よりも、一層具体的に図示したものであり、かつ、吸出し供給切換手段Ｙを省略して図示したものである。図１〜図３と同一符号は、同様の構成であり、重複説明を省略するが、計量容器５及びフロート10の形状・構造・作用等については、図６〜図11等で後述する。
【００２６】
次に、図５に示した、さらに他の実施形態について、以下、説明する。図５に示したように、エアーポンプＰａは、吸入専用ポンプＰ10と吐出専用ポンプＰ20の２個をもって構成される。
なお、２個の上記ポンプＰ10，Ｐ20を、全く同一構造のものを使用しても良いが、吸入用と吐出用で別構造のものを用いて、負圧発生と正圧発生に好適なものとしても良い。
【００２７】
そして、２位置切換弁15の一ポートと、ポンプ接続孔３とは、（図４と同様に）吸入・吐出共通の第１配管31にて接続される。また、吸入専用ポンプＰ10の吸入口40と、切換弁15の他ポートとは、吸入用第２配管32にて接続される。また、吐出専用ポンプＰ20の吐出口41と、切換弁15の別ポートとは、吐出用第３配管33にて接続されている。
従って、計量容器５のエアーポンプ接続孔３と、エアーポンプＰａとを接続するエアーポンプ連通流路Ｒは、第１配管31と上記第２配管32と上記第３配管33等から構成されている。図５の実施形態における、それ以外の構成は、図４と同様である。
【００２８】
次に、図６〜図９に於て、前述の図１〜図５に使用されている計量容器５とフロート10等につき、望ましい実施形態を示している。
図６と図７は、フロート10が最下降位置に在り、図８と図９は、フロート10が最上昇位置に在り、前者はエアーポンプ接続孔３が未閉鎖状態であり、後者は、その接続孔３が閉鎖状態であることを示す。
【００２９】
図６〜図９に示すように、計量容器５は、上方開口状の容器本体５Ａと、シール18を介して密封状に施蓋されネジ19にて固着された蓋体５Ｂとを有する。この蓋体５Ｂには、洗剤吸入孔１と洗剤吐出孔２が形成されている。逆止弁12としてのダックビル弁Ｄが、上記蓋体５Ｂの内面に付設されている。
また、フロート10は、図６〜図８、及び、図９（Ａ）（Ｂ）に示すように、フロート本体20と、ゴム等の弾性材のキャップ21から成る。このフロート本体20は、上方開口部20Ａを有すると共に、断面円弧状又は円錐状の底壁部20Ｂを有する細長円筒型である。キャップ21は、円形平板型の天井壁部21Ａと、この天井壁部21Ａから垂設された嵌込用円筒部21Ｂと、から成る。
【００３０】
フロート10は、フロート本体20の上方開口部20Ａに、弾性材のキャップ21を密封状に施蓋して、一体化された中空構造である。（但し、図９（Ｃ）は変形例を示し、異なる構成を示している。）
そして、フロート10の鉛直状軸心Ｌ10上に、エアーポンプ接続孔３が配設され、しかも、洗剤吐出孔２も、この軸心Ｌ10上に配設される。フロート10の上記軸心Ｌ10が、エアーポンプ接続孔３及び洗剤吐出孔２の両軸心と一致しつつ、フロート10が昇降作動するように、円筒状ガイド部材８が、上記蓋体５Ｂの下面から垂下状に一体形成されている。
【００３１】
また、図７（Ａ）（Ｂ）に具体的に示すように、円筒状ガイド部材８の内面に、３本以上のガイド用小突条22が設けられる。従って、図７（Ｂ）に示す如く、間隙部23が、ガイド部材８の内面と、フロート10の外面との間に、形成されて、エアーが自由に流れる。即ち、図１と図３に示した、エアー吸出Ａ１及びエアー供給Ａ２が全く妨げられない。しかも、フロート10の昇降作動時の摺動抵抗も軽減できる効果も、このガイド用小突条22によって得られる。
【００３２】
また、計量容器５の蓋体５Ｂの下面に於て、円形環状の小突条24が形成されており、この小突条24は、図９（Ｂ）に示すように、フロート10のキャップ21の天井壁部21Ａに圧接して、エアーの流れを、確実に遮断する機能を発揮する。
即ち、図９（Ｂ）に示すように、弾性材から成る天井壁部21Ａに小突条24が弾性的に食込んで、エアー遮断を行って、図２に於て説明した「閉鎖状態」を確実に行って、（図２に示す）吸出し供給切換手段Ｙの作動を常に安定して可能とする。
【００３３】
なお、図９（Ｃ）は、図９（Ｂ）に代わる変形例を示す。この図９（Ｃ）に於て、フロート10は天井壁部10Ａを有し、かつ、天井壁部10Ａに円形環状の小突条25を有している。一方、計量容器５の蓋体５Ｂの下面に於て、円形環状の小突条26を形成し、この小突条26を介して、ゴム等の弾性材のパッキン27を固着する。そして、図９（Ｃ）に示すように、フロート10が上昇してくると、パッキン27に対して小突条25に（食込み状に）圧接して、エアー遮断を行い得る。
【００３４】
なお、図７，図９に示したように、微小突起部36が容器本体５Ａの底壁部35の内面に形成される。この微小突起部36は、図６，図７等に示すように、洗剤Ｚを吐出させる時に、洗剤の流れを妨げないように小ギャップＧを形成する。また、図１に示したように、洗剤が計量容器５内に流入してきた際、（図６，図７，図９，図10等に於て、）フロート10の底面が（洗剤からの）圧力を受けて、スムーズに上昇を開始させるためである。しかも、図14に例示のダックビル弁Ｄを、洗剤吐出孔２に用いていることで、計量容器５の内部空間Ｃが負圧であれば、洗剤が供給路13ヘ洩れない。
図14に示すように、ダックビル弁Ｄは、取付用円筒部37と、その底壁部38から口ばし状に突設された舌片39ａ，39ｂから、構成され、内部42が負圧となった場合、図14（Ａ）に示すように大気圧（正圧）Ｐｏによって、一文字状口部43が閉鎖状態が維持されるから、洗剤が洩れない。
【００３５】
次に、図10と図11は、本発明の別の実施形態を示す。即ち、この洗剤供給装置では、少容量用計量容器５Ｓと大容量用計量容器５Ｌを具備している。
即ち、図４に示した実施形態の計量容器５として、少容量用と大容量用の２個の計量容器５Ｓ，５Ｌを、一台の洗濯機に、設置する上で、２点鎖線で示した、図４のＸ４の回路と、図10のＸ10にそのまま適用すると共に、洗剤収納容器９も共用の単数個とする。
【００３６】
そして、図10と図４とを比較すれば、明らかなように、吸入流路11を２本とすると共に、新たに付加した切換弁44に接続する吸入・吐出共用配管（第１配管）31を２本として、この切換弁44と、（２点鎖線Ｘ10内に存在する）切換弁15とは（共用の１本）の配管（流路）とする。
この切換弁44によって、少容量用の計量容器５Ｓと大容量用の計量容器５Ｌとに、選択可能である。このような少容量・大容量の２種の計量容器５Ｓ，５Ｌを具備した構成の場合の利点につき説明すれば、一つの具体例として、少容量用計量容器５Ｓを５ｃｃ，大容量用計量容器５Ｌを10ｃｃと仮定すると、以下のような利点がある。
即ち、自動洗の場合、洗濯物の重さを測って、これに対応した水量と洗剤の量を決める方式が広く用いられている。このような場合、例えば、洗剤の量が25ｃｃ必要であれば、少容量用計量容器５Ｓのみでは、５回計量せねばならない。これに対し、本発明の図11の実施形態では、大容量用計量容器５Ｌにて２回、少容量用計量容器５Ｓで１回として、合計３回の計量で済み、洗剤供給に要する時間を著しく短縮できる利点がある。
【００３７】
図11に示した２個の第１・第２計量容器５Ｓ，５Ｌは、内部空間Ｃの容積が相違し、また、所望により、フロート10も高さ寸法を相違させる。それ以外は、図６〜図９にて説明した構成と作用は、同様である。つまり、図６〜図９と同一符号は、同様の構成である。使用者は、洗濯物の多少や汚れ具合等に対応して、切換弁44の切換えにより、洗剤の量を、容易に選択できる利点がある。
ところで、図10に於て、２点鎖線Ｘ10にて包囲した回路構成を、図５に示した（２個のポンプＰ10，Ｐ20を具備した）２点鎖線Ｘ５の回路構成に、置換することも、自由である。
【００３８】
次に、図12と図13は、本発明のさらに別の実施形態を示す。
即ち、１個の計量容器５が２個のフロート10Ｘ，10Ｙを、内有している。図12，図13に於て、左側に図示した長い目のフロート10Ｘは、洗剤吸入孔１から流入する容量が少ない目のときに、エアーポンプ接続孔３Ａを閉鎖する。つまり、洗剤の液面が、図12に於て示す低位Ｌにて、接続孔３Ａを閉鎖状態とする。他方、右側の短い目のフロート10Ｙは、洗剤吸入孔１から流入する容量が多い目のとき、接続孔３Ｂを閉鎖する。つまり、洗剤の液面が、図12の低位Ｌでは浮力が発生せず、高位Ｈにて（はじめて）接続孔３Ｂを閉鎖状態とする。このように、２種類のフロート10Ｘ，10Ｙが共通の（１個の）内部空間Ｃに、配設されている。
図12を前述の図４と比較すれば明らかなように、吸入流路11は単数本であり、かつ、２点鎖線で包囲した両回路Ｘ12，Ｘ４も共通している。
【００３９】
上述したように、２種のフロート10Ｘ，10Ｙが１個の計量容器５に内有されている以外の、図１と比較した、相違点は、次の通りである。
新たに切換弁44が回路に付加されている。計量容器５の蓋体５Ｂには、２個のエアーポンプ接続孔３Ａ，３Ｂが設けられ、各々は、種類の相違するフロート10Ｘ，10Ｙに、対応している。
【００４０】
さらに、独立した２本の吸入・吐出共用配管31，31を備えており、かつ、新たに付加された切換弁44の異なる２個のポートに、上記配管31が接続されている。
この切換弁44と（２点鎖線Ｘ12内に存在する）切換弁15とは、１本の流路（配管）として接続する。
この切換弁44を、切換えることによって、２種類の低位Ｌ・高位Ｈの小容量・大容量を、簡単に切換え得ると共に、計量容器５の容積が、２個の計量容器５，５を用いる場合に比べて、減少して、コンパクト化を図り得ると共に、配管も簡略化可能となる。
【００４１】
なお、図12に於て、２点鎖線Ｘ12にて包囲した回路を、図５の２点鎖線Ｘ５の回路に、置き換えることも、自由である。
【００４２】
本発明は、以上詳述したように、洗剤吸入孔１と洗剤吐出孔２とエアーポンプ接続孔３とを有する密封状計量容器５の内部空間Ｃには、フロート10が昇降可能に内有され；上記フロート10が、洗剤Ｚの上記内部空間Ｃへの流入に伴って上昇して、上記エアーポンプ接続孔３を閉鎖可能な位置に、該エアーポンプ接続孔３を配設し；上記エアーポンプ接続孔３は、エアーポンプ連通流路Ｒを介してエアーポンプＰａに接続され；しかも、上記エアーポンプ連通流路Ｒを切換えて、上記エアーポンプ接続孔３に対して、エアー吸出Ａ１とエアー供給Ａ２に切換える吸出し供給切換手段Ｙを、具備し；上記フロート10による上記エアーポンプ接続孔３の未閉鎖状態では、上記エアー吸出しによって上記内部空間Ｃを負圧として、上記洗剤吸入孔１から洗剤を吸入し；上記フロート10の上昇によって上記エアーポンプ接続孔３が閉じた閉鎖状態では、上記エアーポンプ連通流路Ｒの一部が負圧となり、所定負圧値にて上記吸出し供給切換手段Ｙによって上記エアー供給Ａ２に切換えて、上記計量容器５の内部空間Ｃに正圧Ｐを発生させ、上記洗剤吐出孔２から洗剤Ｚを吐出して供給するよう構成したので、夏季・冬季等の温度変化にて、洗剤の粘度が変化しても、常に一定量の洗剤が洗濯槽へ供給できる。また、複雑な制御回路を用いることなく、一定量を供給（投入）することができる。さらに、ポンプＰａ内に洗剤が入ることもなく、ポンプＰａの詰まり等の故障も発生しない。かつ、ポンプＰａの性能のバラツキにかかわらず、安定して定量投入ができる。さらに、ポンプＰａが破損した場合にあっても、洗剤が外部へ流れ出ないという利点もある。
【００４３】
また、本発明は、上記洗剤吸入孔１の近傍と洗剤吐出孔２の近傍には、逆止弁12，14としてダックビル弁Ｄが配設されているので、長期の使用期間にかかわらず故障せずに作動する。さらに、吐出孔２に配設されたダックビル弁Ｄは、計量容器５の内部空間Ｃが負圧となった状態（図１のように洗剤の吸入される状態）において、自動的に閉状態となって、吐出孔２からの不意の流出が阻止できる。即ち、図14（Ａ）のように、ダックビル弁Ｄの内部が負圧ＰＮであれば、大気圧Ｐｏが舌片39，39の外面側に作用することで、自動的に閉状態を維持できる。言い換えれば、吐出孔２に別にＯＮ−ＯＦＦ切換弁を必要とせず、簡易な回路構成となる。
【００４４】
また、エアーポンプＰａは単数個であって、上記内部空間Ｃからのエアー吸出Ａ１と、上記内部空間Ｃへのエアー供給Ａ２を、上記エアーポンプＰａの吸入・吐出にて、行う構成であるので、装置全体の簡素化及びコンパクト化を図り得る。
【００４５】
また、エアーポンプＰａは、吸入専用ポンプＰ10と、吐出専用ポンプＰ20の２個をもって、構成されているので、正圧用・負圧用として、最も適切な機種・構造・性能等を選定可能となり、装置全体の故障も発生しにくくなる。
【符号の説明】
【００４６】
１  洗剤吸入孔
２  洗剤吐出孔
３  エアーポンプ接続孔
５  計量容器
10  フロート
12，14  逆止弁
Ａ１  エアー吸出
Ａ２  エアー供給
Ｃ  内部空間
Ｒ  エアーポンプ連通流路
Ｐａ  エアーポンプ
Ｐ10  吸入専用ポンプ
Ｐ20  吐出専用ポンプ
Ｐ  正圧
Ｄ  ダックビル弁
Ｙ  吸出し供給切換手段
Ｚ  洗剤
【図１】
2020110285.tif 000003
【図２】
2020110285.tif 000004
【図３】
2020110285.tif 000005
【図４】
2020110285.tif 000006
【図５】
2020110285.tif 000007
【図６】
2020110285.tif 000008
【図７】
2020110285.tif 000009
【図８】
2020110285.tif 000010
【図９】
2020110285.tif 000011
【図１０】
2020110285.tif 000012
【図１１】
2020110285.tif 000013
【図１２】
2020110285.tif 000014
【図１３】
2020110285.tif 000015
【図１４】
2020110285.tif 000016